(57)【要約】      （修正有）【課題】穴の開いた部品をボルトナットのように一直線上に固定できる結束バンド用ワッシャを提供する。【解決手段】結束バンド用ワッシャ２であって、使用する結束バンド１の固定部１ｂよりも大きな面積を有し、使用する結束バンド１のバンド部１ａは通るが、固定部１ｂは通らない長穴２ａを中心付近に備える。【選択図】図１
0003221568.tif 000002
【実用新案登録請求の範囲】
【請求項１】
結束バンド用ワッシャの面積は、使用する結束バンドの固定部よりも大きな面積を有し、かつ、使用する前記結束バンドのバンド部は通るが、前記結束バンド固定部は通らない長穴を中央付近に設けた結束バンド用ワッシャ。
【請求項２】
前記結束バンド用ワッシャの面積は、２０ｍｍ２〜４００ｍｍ２であることを特徴とする請求項１記載の結束バンド用ワッシャ。
【請求項３】
前記結束バンド用ワッシャの前記長穴の大きさは、使用する結束バンドのバンド部との隙間が２ｍｍ以下であることを特徴とする請求項１または請求項２記載の結束バンド用ワッシャ。
【請求項４】
請求項１ないし３のいずれかに記載の結束バンド用ワッシャと、前記結束バンドを組み合わせた、結束バンドと結束バンド用ワッシャのセット。
【請求項５】
請求項４に記載の結束バンドと結束バンド用ワッシャのセットであって、結束バンドと、結束バンド用ワッシャが一体的に形成されていることを特徴とする、結束バンドと結束バンド用ワッシャのセット。
【請求項６】
請求項１ないし３のいずれかに記載の結束バンド用ワッシャと、前記結束バンドと、前記結束バンド固定部を組み合わせた、結束バンドと結束バンド用ワッシャと結束バンド固定部のセット。
【請求項７】
請求項６に記載の結束バンドと結束バンド用ワッシャと結束バンド固定部のセットであって、結束バンドと、結束バンド用ワッシャと、結束バンド固定部が一体的に形成されていることを特徴とする、結束バンドと結束バンド用ワッシャと結束バンド固定部のセット。
【考案の詳細な説明】
【技術分野】
【０００１】  本考案は、結束バンドをボルトナットのように使用するための、結束バンド用ワッシャに関するものである。
【背景技術】
【０００２】  結束バンドは、ロック部に締め付けを維持する機能を備え、複数のケーブルなどを束ねたり、物を固定したりするために使用されるものであり、インシュロックや、ケーブルタイ、結束タイ、配線バンドと呼ばれることもある。従来の結束バンドは、例えば、特許文献１及び非特許文献１などに開示されているように、バンド部が一方向のみへロック部の挿入口に挿入され、挿入口にある爪とバンド部の溝をかみ合わせて締め付けを維持することにより、ケーブルなどをしっかりと束ねることができ、また、バンド部を一方向に引っ張ることしかできず、逆方向より抜き出すことができないように構成されている。
【先行技術文献】
【特許文献】
【０００３】
【特許文献１】特開２０１８−１１８７５８号公報
【非特許文献】
【０００４】
【非特許文献１】ヘラマンタイトン株式会社、技術情報、結束バンドの豆知識、結束バンドとは、［ｏｎｌｉｎｅ］、２０１９年、［平成３１年１月２６日検索］、インターネット〈ＵＲＬ：ｈｔｔｐｓ：／／ｗｗｗ．ｈｅｌｌｅｒｍａｎｎｔｙｔｏｎ．ｃｏ．ｊｐ／ｉｎｆｏｒｍａｔｉｏｎ／ｌｎｓｕｌｏｋ／ｐｏｉｎｔ．ｈｔｍｌ〉
【考案の概要】
【考案が解決しようとする課題】
【０００５】  結束バンド２本または、結束バンドと結束バンドの固定部を使って、穴の開いた部品をボルトナットのように固定する場合、結束バンド固定部より部品の穴が大きい場合が多く、結束バンド固定部が穴を通り抜けてしまい、固定できないことが課題であった。本課題を解決する為、結束バンド用ワッシャを提供する。
【課題を解決するための手段】
【０００６】  本考案は、使用する結束バンドのバンド部は通るが、固定部は通らない長穴を設けた結束バンド用ワッシャを使うことにより、問題点を解決している。
【考案の効果】
【０００７】  上述のように、本考案の結束バンド用ワッシャを使い、穴の開いた部品をボルトナットのように一直線状に固定することにより、必要最小限の長さの結束バンドでの固定が可能となる。ボルトナットの代用も可能となることにより、コスト削減が可能となると同時に、ボルトナット使用時に必要な工具が不要となる。一直線状での固定が可能となることにより、整列した状態での部品梱包が可能となり、輸送効率の向上に繋がる。【０００８】  結束バンドと結束バンド用ワッシャをセットにすることにより、使用する結束バンドに適した結束バンド用ワッシャを選定する手間が省け、作業時間の短縮に繋がる。【０００９】  結束バンドと結束バンド用ワッシャを一体的に形成することにより、取り出しやすくなり、作業性の向上に繋がる。
【図面の簡単な説明】
【００１０】
【図１】本考案の結束バンド用ワッシャ（Ａ）、結束バンド（Ｂ）及び結束バンド固定部（Ｃ）の斜視図である。
【図２】パイプの上下に板状の部品を固定した実施例である。
【図３】（Ａ）は、部品を梱包する際に、一直線状に部品を纏めた実施例の斜視図であり、（Ｂ）は、（Ａ）のＡ−Ａ線断面図である。
【図４】（Ａ）、（Ｂ）、（Ｃ）、（Ｄ）は、結束バンドと、結束バンド用ワッシャが一体的に形成された実施例である。
【図５】（Ａ）、（Ｂ）は、結束バンドと、結束バンド用ワッシャと、結束バンド固定部が一体的に形成された実施例である。
【考案を実施するための形態】
【００１１】  結束バンドを結束バンド用ワッシャに通した後、固定する二つ以上の部品の穴に結束バンドを通し、部品を挟み込むようにもう１枚の結束バンド用ワッシャを通し、結束バンドまたは、結束バンドの固定部を使って固定する。
【実施例】
【００１２】  図１は、一般的に使用されている結束バンド１と、結束バンド用ワッシャ２と、結束バンド固定部３である。【００１３】  図２は、パイプの上下に板状の部品を固定した実施例である。結束バンド１を結束バンド用ワッシャ２１に挿入し、結束バンドを板状部品５１、パイプ材４、板状部品５２の穴に通し、結束バンド用ワッシャ２２を通し、結束バンド１及び結束バンド固定部３を使って固定する。このように穴の開いた部品を固定する場合、Ｍ３〜Ｍ１０のボルトナットを使用することが多い為、部品の穴の直径は、３ｍｍ〜１２ｍｍの穴が多い。結束バンド用ワッシャ２の面積は、３ｍｍ〜１２ｍｍの穴よりも大きい必要がある為、２０ｍｍ２〜４００ｍｍ２の範囲が好ましい。結束バンド用ワッシャ２の中央付近に設けた長穴２ａの大きさが必要以上に大きい場合、固定部１ｂ又は結束バンド固定部３と結束バンド用ワッシャ２の接触面積が小さくなってしまい、固定部１ｂ又は結束バンド固定部３が結束バンド用ワッシャ２にめり込んでしまう為、長穴２ａの大きさは、使用する結束バンド１のバンド部１ａとの隙間が２ｍｍ以下になる大きさが好ましい。【００１４】  図３は、穴の開いた部品（例：ナット）を纏める際に固定した実施例である。結束バンド１を結束バンド用ワッシャ２１に挿入し、穴の開いた複数の部品６を結束バンドに通し、結束バンド用ワッシャ２２を通し、結束バンド１及び結束バンドの固定部３を使って固定する。【００１５】  使用する結束バンド１は、多くの種類が流通しており、使用する結束バンド１の種類に適した結束バンド用ワッシャ２をセットにすることにより、より利便性が高まる。【００１６】  図４のように、使用する結束バンド１の種類に適した結束バンド用ワッシャ２を結束バンドと一体的に形成することにより、より利便性が高まる。なお、使う時には簡単に切り離して使える構造とする。【００１７】  図５のように、使用する結束バンド１の種類に適した結束バンド用ワッシャ２と結束バンド固定部を結束バンドと一体的に形成することにより、より利便性が高まる。なお、使う時には簡単に切り離して使える構造とする。
【符号の説明】
【００１８】１  結束バンド
１ａ  バンド部
１ｂ  固定部
２、２１、２２  結束バンド用ワッシャ
２ａ  長穴
３  結束バンド固定部
４  パイプ材
５、５１、５２  板状部材
６  ナット
【図１】
0003221568.tif 000003
【図２】
0003221568.tif 000004
【図３】
0003221568.tif 000005
【図４】
0003221568.tif 000006
【図５】
0003221568.tif 000007